(57)【要約】  本方法の一実施形態は、ユーザ装置（１３０）において、最大出力パワーの範囲を規定するステップ（Ｓ３１０）を含んでいる。その範囲は、最大値と最小値とを含む。最小値は、基地局によって信号で伝えられる最大パワーと、ユーザ装置のパワー・クラスと、許容される最大パワー低下と、許容される追加の最大パワー低下と、伝送帯域幅に依存する低減項と、パワー管理項とに基づいている。本方法は、ユーザ装置において、規定された範囲の中で最大出力パワーを設定するステップ（Ｓ３２０）をさらに含んでいる。
2013546258.tif 000002
【特許請求の範囲】
【請求項１】
ユーザ装置（１３０）の最大出力パワーを設定する方法であって、
前記ユーザ装置において、前記最大出力パワーの範囲を規定するステップ（Ｓ３１０）であって、前記範囲は、最大値と最小値とを含んでおり、前記最小値は、基地局によって信号で伝えられる最大パワーと、前記ユーザ装置のパワー・クラスと、許容される最大パワー低下と、許容される追加の最大パワー低下と、伝送帯域幅に依存する低減項と、パワー管理項とに基づいている、規定するステップと、
前記ユーザ装置において、前記規定された範囲の中で前記最大出力パワーを設定するステップ（Ｓ３２０）と
を含む方法。
【請求項２】
パワー・ヘッドルームを報告する方法であって、
ユーザ装置（１３０）において、規定された範囲の中で最大出力パワーを設定するステップ（Ｓ３２０）であって、前記規定された範囲は最大値と最小値とを含んでおり、前記最小値は、基地局によって信号で伝えられる最大パワーと、前記ユーザ装置のパワー・クラスと、許容される最大パワー低下と、許容される追加の最大パワー低下と、伝送帯域幅に依存する低減項と、パワー管理項とに基づいている、設定するステップと、
前記ユーザ装置により、トリガするイベントが起こる場合に、前記設定された最大出力パワーに関連した情報を含むパワー・ヘッドルーム報告を送信するステップ（Ｓ４１０、Ｓ４２０）と
を含む方法。
【請求項３】
前記許容される最大パワー低下は、変調および送信帯域幅構成に基づいており、また前記許容される追加の最大パワー低下は、前記基地局に対するアップリンク伝送についての追加要件に基づいている、請求項１または２に記載の方法。
【請求項４】
前記パワー管理項は、前記ユーザ装置によるそれぞれ異なる無線アクセス技術に基づく伝送に起因したパワー低下を表す、請求項１、２または３に記載の方法。
【請求項５】
前記最小値は、
ＰＥＭＡＸ  −  ΔＴＣ、
ＰＰｏｗｅｒＣｌａｓｓ  −  ＭＰＲ  −  Ａ−ＭＰＲ  −  ΔＴＣ、
ＰＰｏｗｅｒＣｌａｓｓ  −  ＰＤ  −  ΔＴＣ
のうちの最小の値として選択され、
ここで、ＰＥＭＡＸは、基地局によって信号で伝えられる前記最大パワーであり、ＰＰｏｗｅｒＣｌａｓｓは、前記ユーザ装置の前記パワー・クラスであり、ＭＰＲは、前記許容される最大パワー低下であり、Ａ−ＭＰＲは、前記許容される追加の最大パワー低下であり、ΔＴＣは、伝送帯域幅に依存する前記低減項であり、またＰＤは、前記パワー管理項である、請求項１または２に記載の方法。
【請求項６】
少なくとも１つのトリガ・イベントは、
タイマの期限切れの状態と、
前記管理項の値が、以前のパワー・ヘッドルーム報告が送信されて以来、しきい値よりも大きく変化しているという状態と
を含む、請求項２に記載の方法。
【請求項７】
少なくとも１つのトリガ・イベントは、
タイマの期限切れの状態と、
前記設定された最大出力パワーの値が、前記管理項における変化のために以前のパワー・ヘッドルーム報告が送信されて以来、しきい値よりも大きく変化しているという状態と
を含む、請求項２に記載の方法。
【請求項８】
前記パワー・ヘッドルーム報告を送信した後に前記タイマをリセットするステップをさらに含む、請求項６または７に記載の方法。
【請求項９】
前記送信するステップは、前記設定された最大パワー出力と、前記パワー管理項と、前記パワー管理項に起因した実際のパワー低下の量と、前記ユーザ装置におけるパワー低下のための理由の表示とのうちの少なくとも１つを送信する、請求項６に記載の方法。
【請求項１０】
アップリンク伝送をスケジュールする方法であって、
基地局（１１０、１２０）において、ユーザ装置からパワー・ヘッドルーム報告を受信するステップ（Ｓ５７０）であって、前記パワー・ヘッドルーム報告は、前記ユーザ装置において設定される最大出力パワーに関連した情報を含んでおり、前記最大出力パワーは、規定された範囲の中で設定され、前記規定された範囲は最大値と最小値とを含んでおり、前記最小値は、前記基地局によって信号で伝えられる最大パワーと、前記ユーザ装置のパワー・クラスと、許容される最大パワー低下と、許容される追加の最大パワー低下と、伝送帯域幅に依存する低減項と、パワー管理項とに基づいている、受信するステップと、
前記基地局において、前記受信されたパワー・ヘッドルーム報告に基づいて前記ユーザ装置により、アップリンク伝送をスケジュールするステップ（Ｓ５２０）と
を含む方法。
【請求項１１】
前記受信するステップは、前記設定された最大出力パワーと、前記パワー管理項と、前記パワー管理項に起因した実際のパワー低下の量とのうちの少なくとも１つを受信する、請求項１０に記載の方法。
【請求項１２】
前記受信するステップは、前記ユーザ装置におけるパワー低下のための理由の表示を受信する、請求項１１に記載の方法。
【請求項１３】
データを受信するように構成された受信ユニット（２２０）と、
データを送信するように構成された送信ユニット（２１０）と、
情報を記憶するように構成されたメモリ・ユニット（Ｓ２３０）と、
前記送信ユニット、前記受信ユニット、および前記メモリ・ユニットに結合された処理ユニット（Ｓ２４０）と
を備え、前記処理ユニットは、最大出力パワーの範囲を規定する（Ｓ３１０）ように構成されており、前記範囲は最大値と最小値とを含んでおり、前記最小値は、基地局によって信号で伝えられる最大パワーと、前記ユーザ装置のパワー・クラスと、許容される最大パワー低下と、許容される追加の最大パワー低下と、伝送帯域幅に依存する低減項と、パワー管理項とに基づいており、また前記処理ユニットは、前記規定された範囲の中で前記最大出力パワーを設定する（Ｓ３２０）ように構成されている、ユーザ装置（１３０）。
【請求項１４】
データを受信するように構成された受信ユニット（２２０）と、
データを送信するように構成された送信ユニット（２１０）と、
情報を記憶するように構成されたメモリ・ユニット（２３０）と、
前記送信ユニット、前記受信ユニット、および前記メモリ・ユニットに結合された処理ユニット（２４０）と
を備え、前記処理ユニットは、規定された範囲の中で最大出力パワーを設定する（Ｓ３２０）ように構成されており、前記規定された範囲は最大値と最小値とを含んでおり、前記最小値は、基地局によって信号で伝えられる最大パワーと、前記ユーザ装置のパワー・クラスと、許容される最大パワー低下と、許容される追加の最大パワー低下と、伝送帯域幅に依存する低減項と、パワー管理項とに基づいており、また前記処理ユニットは、トリガするイベントが起こる場合に、前記設定された最大出力パワーに関連した情報を含むパワー・ヘッドルーム報告を送信する（Ｓ４１０、Ｓ４２０）ように構成されている、ユーザ装置（１３０）。
【発明の詳細な説明】
【技術分野】
【０００１】
優先権情報
本出願は、その内容全体が、参照により本明細書に組み込まれている２０１０年１１月２日に出願した仮出願第６１／４０９，３４３号の米国特許法第１１９条に基づく優先権を主張するものである。
【背景技術】
【０００２】
ユーザ装置（ＵＥ：ｕｓｅｒ  ｅｑｕｉｐｍｅｎｔ）は、それぞれ異なる無線アクセス技術（ＲＡＴ：ｒａｄｉｏ  ａｃｃｅｓｓ  ｔｅｃｈｎｏｌｏｇｙ）を使用した、単一の伝送がサポートされるか、それともデュアル／多重伝送がサポートされるかどうかにかかわらず、全体の地域的な比吸収率（ＳＡＲ：Ｓｐｅｃｉｆｉｃ  Ａｂｓｏｒｐｔｉｏｎ  Ｒａｔｅ）送信パワー要件を満たすことが必要とされる。地域的なＳＡＲ要件は、ＵＥに近い最大ＲＦパワー密度に対して制約条件を課す。デュアル／多重伝送のＵＥの場合には、送信パワーに対するこの制約条件の意味合いは、アンテナの数およびロケーション（２つのアンテナが使用されるかどうか、それらの間の距離など）やＵＥのフォーム・ファクタなど、様々な要因に依存している。いくつかの状況では、これは、１つまたは複数のエア・インターフェースが同時に動作しているとき、それらのエア・インターフェースの伝送パワーに追加の制限を課す可能性がある。
【０００３】
さらに、それぞれ異なるＲＡＴの上の多重伝送が存在するときに、隣接するキャリアに対して干渉を引き起こす相互変調積が、発生することもある。それらが同時に動作しているときに、これは、同様に、１つまたは複数のＲＡＴの上の伝送パワーに対する制約条件を課す可能性がある。
【０００４】
そのようなパワー低下から生ずる問題は、デュアル／多重伝送に起因した伝送パワーの低下についてネットワーク（スケジューラ）に通知する標準のメカニズムが存在していないことである。ＵＥにおいて使用可能な伝送パワーについての最新の情報を知らずに、ネットワークは、ＵＥが配信に失敗する可能性があるより高い伝送パワーについてＵＥをスケジュールすることがあり、したがって、システム性能に影響を及ぼすことがある。さらに、パワー制御についてのネットワークとＵＥとの間で不一致が生じる可能性があり、また、これによって、ネットワークにおけるチャネル推定が不正確になる。これはまた、スケジューリングの不正確さを、したがって、システム性能の低下をもたらす。
【０００５】
さらなる問題は、伝送パワーの許容された低下を指定する、規定された方法が存在しておらず、その結果、ＵＥは、それらの伝送パワーを任意の量だけ低下させることを選択する可能性があり、予測不可能な性能がもたらされることである。
【０００６】
デュアル／多重伝送に起因したパワー低下を考慮に入れるネットワーク（スケジューラ）に対して伝送パワー情報を提供するための標準に準拠したメカニズムは存在しない。
【０００７】
ネットワークに対するパワー・ヘッドルーム報告（ＰＨＲ：ｐｏｗｅｒ  ｈｅａｄｒｏｏｍ  ｒｅｐｏｒｔｉｎｇ）の伝送をトリガする従来のメカニズムが存在する。しかしながら、ＰＨＲは、公称ＵＥ最大送信パワー、ＰＣＭＡＸと、ＵＬ伝送の推定されたパワーとの間の差についての情報を提供するだけである。それゆえに、ＰＨＲは、例えば、デュアル／多重伝送に起因したパワー低下の原因、またはパワー低下の量についての情報をネットワークに対して搬送しない。ＵＥの最大出力パワー、ＰＣＭＡＸは、現在のＬＴＥ仕様（Ｒｅｌ−８／９  ＬＴＥ）において値の範囲として規定される。ＵＥは、ＰＣＭＡＸをその値の範囲の中のある値に設定する。値の範囲は、ＵＥパワー・クラス（ＵＥ  ｐｏｗｅｒ  ｃｌａｓｓ）と、ネットワークによって信号で伝えられる最大送信パワー、ＰＥＭＡＸと、変調および送信帯域幅構成に基づいて許容される最大パワー低下、ＭＰＲと、ネットワーク（例えば、ｅＮｏｄｅＢ）に対するアップリンク伝送についての追加要件に基づいて許容される追加の最大パワー低下、Ａ−ＭＰＲと、伝送帯域幅に依存する低減項、ΔＴＣ．ＰＣＭＡＸとに依存しており、その値の範囲と、上記で論じられたパラメータは、ＴＳ  ３６．１０１  Ｖ１０．０．０において規定される。
【０００８】
ＵＥは、その最大出力パワーＰＣＭＡＸを設定することが許可される。構成された最大出力パワーＰＣＭＡＸは、以下の範囲、すなわち、
ＰＣＭＡＸ_Ｌ≦ＰＣＭＡＸ≦ＰＣＭＡＸ_Ｈ                            （１）
の中で設定され、ここで、
−ＰＣＭＡＸ_Ｌ＝ＭＩＮ｛ＰＥＭＡＸ−ΔＴＣ，
ＰＰｏｗｅｒＣｌａｓｓ−ＭＰＲ−Ａ−ＭＰＲ−ΔＴＣ｝  （２）
−ＰＣＭＡＸ_Ｈ＝ＭＩＮ｛ＰＥＭＡＸ，ＰＰｏｗｅｒＣｌａｓｓ｝        （３）
である。
−ＰＥＭＡＸは、システム情報の形でネットワークによってブロードキャストされる値である。ＰＥＭＡＸは、セル間の干渉調整を考慮に入れる。
−ＰＰｏｗｅｒＣｌａｓｓは、規格の中で指定される最大ＵＥパワーであり、またＵＥに記憶されるテーブルからＵＥに対して使用可能である。
−ＭＰＲおよびＡ−ＭＰＲは、規格の中で指定され、またＵＥに記憶されるテーブルから使用可能である。ＭＰＲは、変調と送信帯域幅構成とに依存するが、Ａ−ＭＰＲは、ネットワーク（例えば、ｅＮｏｄｅＢ）に対するアップリンク伝送についての追加要件に依存する。例えば、Ａ−ＭＰＲは、ｅＮｏｄｅＢに対するＵＬ伝送について割り付けられる周波数帯域およびリソース領域に依存する。
−ΔＴＣは、規格において規定され、またアップリンク伝送についての周波数帯域に依存する。
【０００９】
無線リソース制御（ＲＲＣ：Ｒａｄｉｏ  ｒｅｓｏｕｒｃｅ  ｃｏｎｔｒｏｌ）は、２つのタイマ、定期的ＰＨＲ−タイマ（ｐｅｒｉｏｄｉｃＰＨＲ−Ｔｉｍｅｒ）と禁止ＰＨＲ−タイマ（ｐｒｏｈｉｂｉｔＰＨＲ−Ｔｉｍｅｒ）とを構成することにより、またしきい値ｄｌ−経路損失変更（ｄｌ−ＰａｔｈｌｏｓｓＣｈａｎａｇｅ）を信号で伝えることによりパワー・ヘッドルーム報告を制御する。ＰＨＲは、以下の判断基準、すなわち、
−ＵＥが新しい伝送についてのアップリンク（ＵＬ：ｕｐ  ｌｉｎｋ）リソースを有するときにＰＨＲの最後の伝送以来、禁止ＰＨＲ−タイマが期限切れになり、または期限切れになっており、また経路損失が、ｄｌ−経路損失変更ｄＢよりも多く変化しており、
−定期的ＰＨＲ−タイマが期限切れになり、
−機能のディセーブルには使用されない、上位レイヤによるパワー・ヘッドルーム報告機能が構成または再構成された後
という判断基準が満たされる場合に、トリガされる。
【先行技術文献】
【非特許文献】
【００１０】
【非特許文献１】Ｒｅｌ−８／９  ＬＴＥ
【非特許文献２】ＴＳ  ３６．１０１  Ｖ１０．０．０
【非特許文献３】ＥＩＡ／ＴＩＡ  ＩＳ−９５
【発明の概要】
【発明が解決しようとする課題】
【００１１】
少なくとも１つの例の実施形態は、ユーザ装置の最大出力パワーを設定する方法に関する。
【課題を解決するための手段】
【００１２】
本方法の一実施形態は、ユーザ装置において、最大出力パワーの範囲を規定するステップを含んでいる。範囲は、最大値と、最小値とを含む。最小値は、基地局によって信号で伝えられる最大パワーと、ユーザ装置のパワー・クラスと、許容される最大パワー低下と、許容される追加の最大パワー低下と、伝送帯域幅に依存する低減項と、パワー管理項とに基づいている。本方法は、ユーザ装置において、規定された範囲の中の最大出力パワーを設定するステップをさらに含んでいる。
【００１３】
一実施形態においては、許容される最大パワー低下は、変調および送信帯域幅構成に基づいており、また許容される追加の最大パワー低下は、基地局に対するアップリンク伝送についての追加要件に基づいている。一実施形態においては、パワー管理項は、ユーザ装置による、それぞれ異なる無線アクセス技術に基づく伝送に起因したパワー低下を表す。
【００１４】
別の実施形態においては、パワー管理項は、ユーザ装置による、それぞれ異なる無線アクセス技術に基づく伝送に起因したパワー低下を表す。
【００１５】
さらなる一実施形態においては、最小値は、
ＰＥＭＡＸ−ΔＴＣ、
ＰＰｏｗｅｒＣｌａｓｓ−ＭＰＲ−Ａ−ＭＰＲ−ΔＴＣ、
ＰＰｏｗｅｒＣｌａｓｓ−ＰＤ−ΔＴＣ
のうちの最小の値として選択され、ここで、ＰＥＭＡＸは、基地局によって信号で伝えられる最大パワーであり、ＰＰｏｗｅｒＣｌａｓｓは、ユーザ装置のパワー・クラスであり、ＭＰＲは、許容される最大パワー低下であり、Ａ−ＭＰＲは、許容される追加の最大パワー低下であり、ΔＴＣは、伝送帯域幅に依存する低減項であり、またＰＤは、パワー管理項である。
【００１６】
別の実施形態は、パワー・ヘッドルームを報告する方法に関する。
【００１７】
一実施形態においては、本方法は、ユーザ装置において、規定された範囲の中で最大出力パワーを設定するステップを含んでいる。規定された範囲は、最大値と最小値とを含む。最小値は、基地局によって信号で伝えられる最大パワーと、ユーザ装置のパワー・クラスと、許容される最大パワー低下と、許容される追加の最大パワー低下と、伝送帯域幅に依存する低減項と、パワー管理項とに基づいている。本方法は、トリガするイベントが起こる場合に、ユーザ装置により、パワー・ヘッドルーム報告を送信するステップをさらに含んでいる。パワー・ヘッドルーム報告は、設定された最大出力パワーに関連した情報を含んでいる。
【００１８】
一実施形態においては、許容される最大パワー低下は、変調および送信帯域幅構成に基づいており、また許容される追加の最大パワー低下は、基地局に対するアップリンク伝送についての追加要件に基づいている。
【００１９】
別の実施形態においては、パワー管理項は、ユーザ装置による、それぞれ異なる無線アクセス技術に基づく伝送に起因したパワー低下を表す。
【００２０】
さらなる一実施形態においては、パワー管理項は、ユーザ装置による、それぞれ異なる無線アクセス技術に基づく伝送に起因したパワー低下を表す。
【００２１】
一実施形態においては、最小値は、
ＰＥＭＡＸ−ΔＴＣ、
ＰＰｏｗｅｒＣｌａｓｓ−ＭＰＲ−Ａ−ＭＰＲ−ΔＴＣ、
ＰＰｏｗｅｒＣｌａｓｓ−ＰＤ−ΔＴＣ
のうちの最小の値として選択され、ここで、ＰＥＭＡＸは、基地局によって信号で伝えられる最大パワーであり、ＰＰｏｗｅｒＣｌａｓｓは、ユーザ装置のパワー・クラスであり、ＭＰＲは、許容される最大パワー低下であり、Ａ−ＭＰＲは、許容される追加の最大パワー低下であり、ΔＴＣは、伝送帯域幅に依存する低減項であり、またＰＤは、パワー管理項である。
【００２２】
別の実施形態においては、少なくとも１つのトリガ・イベントは、タイマの期限切れの状態を含んでおり、また管理項の値は、以前のパワー・ヘッドルーム報告が、送信されたので、しきい値よりも大きい値だけ変化している。一実施形態においては、本方法は、パワー・ヘッドルーム報告を送信した後にタイマをリセットするステップをさらに含むことができる。
【００２３】
さらなる一実施形態においては、少なくとも１つのトリガ・イベントは、タイマの期限切れの状態を含んでおり、また設定された最大出力パワーの値は、以前のパワー・ヘッドルーム報告が、管理項における変更のために送信されたので、しきい値よりも大きい値だけ変化している。一実施形態においては、本方法は、パワー・ヘッドルーム報告を送信した後にタイマをリセットするステップをさらに含むことができる。一実施形態においては、送信するステップは、設定された最大パワー出力を送信する。
【００２４】
一実施形態においては、送信するステップは、パワー管理項を送信する。
【００２５】
一実施形態においては、送信するステップは、パワー管理項に起因した実際のパワー低下の量を送信する。
【００２６】
一実施形態においては、送信するステップは、ユーザ装置におけるパワー低下についての理由の表示を送信する。
【００２７】
少なくとも１つの実施形態は、１つまたは複数の上記で説明された方法を使用するユーザ装置に関連している。
【００２８】
少なくとも１つの実施形態は、アップリンク伝送をスケジュールする方法に関連している。
【００２９】
一実施形態においては、本方法は、基地局において、ユーザ装置からパワー・ヘッドルーム報告を受信するステップを含んでいる。パワー・ヘッドルーム報告は、ユーザ装置において設定される最大出力パワーに関連した情報を含んでいる。最大出力パワーは、規定された範囲の中で設定される。規定された範囲は、最大値と最小値とを含む。最小値は、基地局によって信号で伝えられる最大パワーと、ユーザ装置のパワー・クラスと、許容される最大パワー低下と、許容される追加の最大パワー低下と、伝送帯域幅に依存する低減項と、パワー管理項とに基づいている。本方法は、受信されたパワー・ヘッドルーム報告に基づいてユーザ装置によるアップリンク伝送をスケジュールするステップをさらに含んでいる。一実施形態においては、受信するステップは、設定された最大出力パワーと、パワー管理項と、パワー管理項に起因した実際のパワー低下の量とのうちの少なくとも１つを受信する。
【００３０】
別の実施形態においては、受信するステップは、ユーザ装置におけるパワー低下についての理由の表示を受信する。
【００３１】
少なくとも１つの実施形態は、上記で説明された実施形態のうちの１つを使用した基地局に関連している。
【００３２】
例示の実施形態は、以下の本明細書において与えられる詳細な説明と、添付の図面とから、より完全に理解されるようになり、そこでは、同様な要素は、同様な参照番号によって表され、これらの要素は、例証としてのみ与えられ、またそれゆえに本発明を限定するものではない。
【図面の簡単な説明】
【００３３】
【図１】一実施形態によるワイヤレス通信システムの一部分を示す図である。
【図２】ワイヤレス・デバイスの一構造例を示す図である。
【図３】最大出力パワーを設定する一方法のフロー・チャートである。
【図４】パワー・ヘッドルームを報告する一方法のフロー・チャートである。
【図５】基地局におけるアップリンク伝送をスケジュールする一方法のフロー・チャートである。
【発明を実施するための形態】
【００３４】
様々な実施形態の例は、次に、いくつかの実施形態の例が示される添付図面を参照してより十分に説明されるであろう。
【００３５】
実施形態の例は、様々な修正形態および代替的形態とすることができるが、それらの実施形態は、図面の中では例として示されており、また本明細書において詳細に説明されるであろう。しかしながら、実施形態の例を開示される特定の形態だけに限定する意図はないことを理解すべきである。それとは反対に、実施形態の例は、本開示の範囲内に含まれるすべての修正形態、同等形態、および代替形態を対象として含むものである。同様な番号は、図面の説明全体を通して、同様な要素を意味している。
【００３６】
第１の、第２のなどという用語を本明細書において使用して、様々な要素を説明することができるが、これらの要素は、これらの用語によって限定されるべきではない。これらの用語を使用して、１つの要素を別の要素から区別するだけである。例えば、第１の要素は、第２の要素と名付けられる可能性もあり、また同様に第２の要素は、本開示の範囲を逸脱することなく、第１の要素と名付けられる可能性もある。本明細書において使用される場合に、用語「および／または（ａｎｄ／ｏｒ）」は、１つまたは複数の関連するリストアップされた項目のうちの任意のもの、およびすべての組合せを含む。
【００３７】
ある要素が、別の要素に「接続される（ｃｏｎｎｅｃｔｅｄ）」または「結合される（ｃｏｕｐｌｅｄ）」と称されるときに、その要素は、他の要素に直接に接続され、または結合される可能性もあり、あるいは介在する要素が存在していてもよい。対照的に、ある要素が、別の要素に「直接に（ｄｉｒｅｃｔｌｙ）接続される」、または「直接に結合される」と称されるときには、介在する要素は存在していない。要素の間の関係を説明するために使用される他の言葉も、同様にして（例えば、「間に（ｂｅｔｗｅｅｎ）」に対して「直接に間に」、「隣接する（ａｄｊａｃｅｎｔ）」に対して「直接に隣接する」など）解釈されるべきである。
【００３８】
本明細書において使用される専門用語は、特定の実施形態を説明する目的のためだけであり、限定することを意図してはいない。本明細書において使用される場合、単数形の形式「１つの（ａ）」、「１つの（ａｎ）」、および「その（ｔｈｅ）」は、文脈が、明らかにそうでない場合を示していない限り、同様に複数形の形式も含むことが意図される。用語「備える／含む（ｃｏｍｐｒｉｓｅｓ）」、「備えている／含んでいる（ｃｏｍｐｒｉｓｉｎｇ）」、「含む（ｉｎｃｌｕｄｅｓ）」、および／または「含んでいる（ｉｎｃｌｕｄｉｎｇ）」は、本明細書において使用されるときに、述べられた機能、整数、ステップ、オペレーション、要素、および／またはコンポーネントの存在を指定するが、１つまたは複数の他の機能、整数、ステップ、オペレーション、要素、コンポーネント、および／またはそれらのグループの存在または追加を除外するものではないことが、さらに理解されるであろう。
【００３９】
いくつかの代替的な実装形態においては、言及される機能／動作は、図面の中で言及される順序と異なる順序で起こり得ることにも注意すべきである。例えば、連続して示される２つの図面は、実際には、関与する機能／動作に応じて、実質的に同時に実行されることもあり、または時として逆の順序で実行されることもある。
【００４０】
別の方法で規定されない限り、本明細書において使用される（技術的用語および科学的用語を含む）すべての用語は、実施形態の例が属する技術分野の当業者によって普通に理解されるものと同じ意味を持つ。用語は、例えば、普通に使用される辞書において規定される用語は、関連のある技術の文脈におけるそれらの意味と整合している意味を有するものと解釈されるべきであり、また本明細書において明示的にそのように規定されない限り、理想化された、またはあまりにも形式的な意味では解釈されないことが、さらに理解されるであろう。
【００４１】
実施形態の例と、対応する詳細な説明との一部分は、コントローラによって実行されるアルゴリズムの観点から提示される。用語がここで使用される場合、またその用語が一般に使用される場合、アルゴリズムは、望ましい結果をもたらすステップの自己矛盾のないシーケンスであるように考えられる。それらのステップは、物理量の物理的操作を必要とするこれらのステップである。通常、必ずしもそうであるとは限らないが、これらの量は、記憶され、転送され、結合され、比較され、またそれ以外の方法で操作され得る光学的信号、電気信号、または磁気信号の形態を取る。時には、主として一般的な使用のために、これらの信号をビット、値、要素、シンボル、キャラクタ、用語、番号などと称することは、便利であることが分かっている。
【００４２】
特定の詳細は、以下の説明において提供されて、実施形態の例の完全な理解を提供している。しかしながら、実施形態の例がこれらの特定の詳細なしに実行され得ることが、当業者によって理解されるであろう。例えば、システムは、不必要な詳細で実施形態の例をあいまいにすることのないように、ブロック図の形で示されることもある。他の例では、よく知られているプロセス、構造および技法は、実施形態の例をあいまいにすることを回避するために、不必要な詳細なしで示されることもある。
【００４３】
以下の説明においては、例示の実施形態は、特定のタスクを実行し、または特定の抽象データ型を実装し、また既存のネットワーク要素、既存のエンド・ユーザ・デバイス、および／または後処理ツール（例えば、モバイル・デバイス、ラップトップ・コンピュータ、デスクトップ・コンピュータなど）を使用して実装され得るルーチン、プログラム、オブジェクト、コンポーネント、データ構造などを含めて、プログラム・モジュールまたは機能プロセスとして実装され得る動作、およびオペレーションのシンボリック表現（例えば、フロー・チャート、流れ図、データ・フロー図、構造図、ブロック図などの形式の）を参照して説明されるであろう。そのような既存のハードウェアは、１つまたは複数の中央演算処理装置（ＣＰＵ：Ｃｅｎｔｒａｌ  Ｐｒｏｃｅｓｓｉｎｇ  Ｕｎｉｔ）、デジタル信号プロセッサ（ＤＳＰ：ｄｉｇｉｔａｌ  ｓｉｇｎａｌ  ｐｒｏｃｅｓｓｏｒ）、特定用途向け集積回路、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）コンピュータなどを含むことができる。
【００４４】
具体的に別の方法で述べられていない限り、または考察から明らかなように、「処理すること」、「計算すること」、「算出すること」、「決定すること」または「表示すること」などの用語は、コンピュータ・システムのレジスタおよびメモリの内部の物理的な、電子的量として表されるデータをコンピュータ・システムのメモリ、レジスタ、あるいは他のそのような情報の記憶、伝送、または表示のデバイスの内部の物理量として同様に表される他のデータへと操作し、また変換するコンピュータ・システム、または類似した電子的コンピューティング・デバイスのアクションおよびプロセスを意味している。
【００４５】
フロー・チャートは、逐次的プロセスとしてオペレーションを説明することができるが、オペレーションの多くは、並列に、並行して、または同時に実行されることもある。さらに、オペレーションの順序は、再配置されることもある。プロセスは、そのオペレーションが、完了されるときに終了され得るが、図の中に含まれていない追加のステップを有することもできる。プロセスは、方法、関数、プロシージャ、サブルーチン、サブプログラムなどに対応することもある。プロセスが、関数に対応するとき、その終了は、呼び出し関数またはメイン関数（ｍａｉｎ  ｆｕｎｃｔｉｏｎ）に対する、関数のリターンに対応することができる。
【００４６】
実施形態の例のソフトウェアにより実装された態様は、一般的に、何らかの形態の有形の（または記録する）ストレージ媒体の上で符号化され、または何らかのタイプの伝送媒体の上で実装されることにも注意されたい。本明細書において開示される場合、用語「ストレージ媒体」は、リード・オンリー・メモリ（ＲＯＭ：ｒｅａｄ  ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、磁気ＲＡＭ、磁気ディスク・ストレージ媒体、光学式ストレージ媒体、フラッシュ・メモリ・デバイス、および／または情報を記憶するための他の有形のマシン読取り可能媒体を含めて、データを記憶するための１つまたは複数のデバイスを表すことができる。用語「コンピュータ読取り可能媒体」は、それだけには限定されないが、命令（単数または複数）および／またはデータを記憶し、包含し、または搬送することができる携帯式または固定式のストレージ・デバイスと、光学式ストレージ・デバイスと、様々な他の媒体とを含むことができる。
【００４７】
さらに、実施形態の例は、ハードウェア、ソフトウェア、ファームウェア、ミドルウェア、マイクロコード、ハードウェア記述言語、またはそれらの任意の組合せによって実装されることもある。ソフトウェア、ファームウェア、ミドルウェア、またはマイクロコードの形で実装されるときに、必要なタスクを実行するプログラム・コードまたはコード・セグメントは、コンピュータ読取り可能ストレージ媒体など、マシンまたはコンピュータによる読取り可能媒体に記憶されることもある。ソフトウェアの形で実装されるときに、１つまたは複数のプロセッサは、必要なタスクを実行することになる。
【００４８】
コード・セグメントは、プロシージャ、関数、サブプログラム、プログラム、ルーチン、サブルーチン、モジュール、ソフトウェア・パッケージ、クラス、あるいは命令、データ構造、またはプログラム・ステートメントの任意の組合せを表すことができる。コード・セグメントは、情報、データ、引き数、パラメータ、またはメモリ内容を渡すこと、および／または受け取ることにより、別のコード・セグメントまたはハードウェア回路に結合されることもある。情報、引き数、パラメータ、データなどは、メモリ共有化、メッセージ・パッシング、トークン・パッシング、ネットワーク伝送などを含む適切な任意の手段を経由して、渡され、転送され、または送信されることもある。
【００４９】
本明細書において使用される場合、用語「ユーザ装置」または「ＵＥ」は、モバイル・ユーザ、移動局、モバイル端末、ユーザ、加入者、ワイヤレス端末、端末、および／またはリモート局に対する同義語とすることができ、またワイヤレス通信ネットワークにおけるワイヤレス・リソースのリモート・ユーザを説明することができる。したがって、ＵＥは、ワイヤレス電話、ワイヤレス装備のラップトップ、ワイヤレス装備の電気器具などとすることができる。
【００５０】
用語「基地局」は、１つまたは複数のセル・サイト、基地局、ノードＢ、機能強化されたノードＢ（ｅＮｏｄｅＢ）、アクセス・ポイント、および／または無線周波数通信の任意の端末（ｔｅｒｍｉｎｕｓ）として理解されることもある。現在のネットワーク・アーキテクチャは、モバイル／ユーザ・デバイスと、アクセス・ポイント／セル・サイトとの間の差異を考慮することができるが、以下で説明される実施形態の例は、一般に、その差異が、例えば、アドホック・アーキテクチャおよび／またはメッシュ・ネットワーク・アーキテクチャなど、それほど明確でない場合のアーキテクチャに対しても適用可能とすることができる。
【００５１】
基地局からＵＥへの通信は、一般的に、ダウンリンク通信または順方向リンク通信と呼ばれる。ＵＥから基地局への通信は、一般的に、アップリンク通信または逆方向リンク通信と呼ばれる。
【００５２】
アーキテクチャ
図１は、一実施形態によるワイヤレス通信システムの一部分を示すものである。示されるように、本システムは、異なる無線アクセス技術（ＲＡＴ）に関連する、基地局１１０や１２０などの基地局を含むことができる。例えば、基地局１１０は、基地局１２０が関連づけられるＲＡＴとは異なるＲＡＴに関連づけられることもある。ＲＡＴの例は、ユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）と、移動通信用グローバル・システム（ＧＳＭ：Ｇｌｏｂａｌ  Ｓｙｓｔｅｍ  ｆｏｒ  Ｍｏｂｉｌｅ  ｃｏｍｍｕｎｉｃａｔｉｏｎｓ）と、高度移動電話サービス（ＡＭＰＳ：Ａｄｖａｎｃｅ  Ｍｏｂｉｌｅ  Ｐｈｏｎｅ  Ｓｅｒｖｉｃｅ）システムと、狭帯域ＡＭＰＳシステム（ＮＡＭＰＳ：Ｎａｒｒｏｗｂａｎｄ  ＡＭＰＳ  ｓｙｓｔｅｍ）と、総アクセス通信システム（ＴＡＣＳ：Ｔｏｔａｌ  Ａｃｃｅｓｓ  Ｃｏｍｍｕｎｉｃａｔｉｏｎｓ  Ｓｙｓｔｅｍ）と、パーソナル・デジタル・セルラー（ＰＤＣ：Ｐｅｒｓｏｎａｌ  Ｄｉｇｉｔａｌ  Ｃｅｌｌｕｌａｒ）システムと、米国デジタル・セルラー（ＵＳＤＣ：Ｕｎｉｔｅｄ  Ｓｔａｔｅｓ  Ｄｉｇｉｔａｌ  Ｃｅｌｌｕｌａｒ）システムと、ＥＩＡ／ＴＩＡ  ＩＳ−９５において説明される符号分割多元接続（ＣＤＭＡ：ｃｏｄｅ  ｄｉｖｉｓｉｏｎ  ｍｕｌｔｉｐｌｅ  ａｃｃｅｓｓ）システムと、高レート・パケット・データ（ＨＲＰＤ：Ｈｉｇｈ  Ｒａｔｅ  Ｐａｃｋｅｔ  Ｄａｔａ）システム、ワールドワイド・インターオペラビリティ・フォー・マイクロウェーブ・アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）と、ウルトラ・モバイル・ブロードバンド（ＵＭＢ：ｕｌｔｒａ  ｍｏｂｉｌｅ  ｂｒｏａｄｂａｎｄ）と、第３世代パートナーシップ・プロジェクト・ロング・ターム・エボリューション（３ＧＰＰ  ＬＴＥ：３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）とを含む。
【００５３】
さらにまた、基地局１１０と、１２０とは、同じカバレッジ・エリア、またはオーバーラップしたカバレッジ・エリアを有することができる。ＵＥ１３０などのＵＥは、基地局１１０、１２０のうちの一方または両方と通信することができる。図１は、２つのＲＡＴを伴う状況を表すが、実施形態は、２つのＲＡＴだけには限定されず、また任意の数のＲＡＴに対して適用可能である。図２は、図１に示されるＵＥ１３０などのユーザ装置の１つの例の構造を示す図である。ＵＥ１３０は、例えば、送信ユニット２１０と、受信ユニット２２０と、メモリ・ユニット２３０と、処理ユニット２４０と、データ・バス２５０とを含むことができる。
【００５４】
送信ユニット２１０と、受信ユニット２２０と、メモリ・ユニット２３０と、処理ユニット２４０とは、データ・バス２５０を使用して、互いにデータを送信し、かつ／またはデータを受信することができる。送信ユニット２１０は、他のワイヤレス・デバイス（例えば、基地局）に対する１つまたは複数のワイヤレス接続を経由して、例えば、データ信号と、制御信号と、信号の強度／品質情報とを含むワイヤレス信号を送信するためのハードウェアと、必要な任意のソフトウェアとを含むデバイスである。
【００５５】
受信ユニット２２０は、他のワイヤレス・デバイス（例えば、基地局）からの１つまたは複数のワイヤレス接続を経由して、例えば、データ信号と、制御信号と、信号の強度／品質情報とを含むワイヤレス信号を受信するためのハードウェアと、必要な任意のソフトウェアとを含むデバイスである。
【００５６】
メモリ・ユニット２３０は、磁気ストレージ、フラッシュ・ストレージなどを含めて、データを記憶することができる任意のストレージ媒体とすることができる。
【００５７】
処理ユニット２４０は、例えば、入力データに基づいて特定のオペレーションを実行するように構成され、またはコンピュータ読取り可能コードの中に含まれる命令を実行することができるマイクロプロセッサを含めて、データを処理することができる任意のデバイスとすることができる。
【００５８】
例えば、処理ユニット２４０は、以下で詳細に説明される方法を実装することができる。
【００５９】
オペレーション
ユーザ装置の最大出力パワーを設定するための、またパワー・ヘッドルームを報告するための実施形態が、次に説明される。図３は、最大出力パワーを設定する方法のフロー・チャートを示すものである。示されるように、ステップＳ３１０において、ＵＥ１３０（例えば、処理ユニット２４０）は、最大出力パワーＰＣＭＡＸの範囲を規定する。範囲は、以下、すなわち、
ＰＣＭＡＸ_Ｌ≦ＰＣＭＡＸ≦ＰＣＭＡＸ_Ｈ                          （４）
のように表すこともでき、ここで、ＰＣＭＡＸ_Ｌは、最大出力パワーＰＣＭＡＸについての最小値であり、またＰＣＭＡＸ＿Ｈは、最大出力パワーＰＣＭＡＸについての最大値である。最小値と最大値とは、
−ＰＣＭＡＸ_Ｌ＝ＭＩＮ｛ＰＥＭＡＸ−ΔＴＣ，
ＰＰｏｗｅｒＣｌａｓｓ−ＭＰＲ−Ａ−ＭＰＲ−ΔＴＣ，
ＰＰｏｗｅｒＣｌａｓｓ−ＰＤ−ΔＴＣ｝    （５）
−ＰＣＭＡＸ_Ｈ＝ＭＩＮ｛ＰＥＭＡＸ，ＰＰｏｗｅｒＣｌａｓｓ｝     （６）
として規定され、ここで
−ＰＥＭＡＸは、システム情報の形でネットワークによってブロードキャストされる値である。ＰＥＭＡＸは、セル間の干渉調整を考慮に入れる。
−ＰＰｏｗｅｒＣｌａｓｓは、規格の中で指定される最大ＵＥパワーであり、またＵＥに記憶されるテーブルからＵＥに対して使用可能である。
−ＭＰＲおよびＡ−ＭＰＲは、規格の中で指定され、またＵＥに記憶されるテーブルから使用可能である。ＭＰＲは、変調と送信帯域幅構成とに依存するが、Ａ−ＭＰＲは、ネットワーク（例えば、ｅＮｏｄｅＢ）に対するアップリンク伝送についての追加要件に依存する。例えば、Ａ−ＭＰＲは、ｅＮｏｄｅＢに対するアップリンク（ＵＬ）伝送について割り付けられる周波数帯域およびリソース領域に依存する。
−ΔＴＣは、規格において規定され、またアップリンク伝送についての周波数帯域に依存する。
−ＰＤは、パワー管理項である。
【００６０】
一実施形態においては、パワー管理項ＰＤは、デュアル／多重伝送に起因した最大の許容されたパワー低下を規定することができ、またリソース割付けの帯域幅に対して独立している。ＰＤについての値は、デュアル／多重伝送、動作する周波数帯域の異なる組合せについて規定されることもある。したがって、ＰＤについての値は、実験的に決定され、メモリ・ユニット２３０に記憶されるテーブルからアクセス可能である可能性がある。
【００６１】
別の代替形態は、ＲＲＣ信号方式を経由してネットワークによりパワー管理項ＰＤの値をＵＥに対して信号で伝えることである。
【００６２】
別の実施形態によれば、ＰＣＭＡＸについての最小値は、以下、すなわち、
ＰＣＭＡＸ_Ｌ＝ＭＩＮ｛ＰＥＭＡＸ−ΔＴＣ，
ＰＰｏｗｅｒＣｌａｓｓ−ＭＰＲ−Ａ−ＭＰＲ−ＰＤ−ΔＴＣ｝  （７）
のように設定されることもある。
【００６３】
この場合に、デュアル／多重伝送に起因したパワー低下は、一般的にＭＰＲおよびＡ−ＭＰＲについて必要とされるパワー低下に対して累積的なものではないので、ＰＤは、一般的に、ＭＰＲおよび／またはＡ−ＭＰＲに依存することになる。
【００６４】
図３に戻ると、最大出力パワーの範囲を規定した後に、ＵＥ１３０は、規定された範囲の中で最大出力パワーを設定する。その設定は、ＵＥにおけるどのような実装特有の方法に従っても実行され得る。例えば、ＵＥは、その範囲の中間点に対して最大出力パワーを設定することができる。
【００６５】
理解されるように、上記で説明された実施形態は、非キャリア・アグリゲーション・シナリオと、キャリア・アグリゲーション・シナリオとの両方に対して適用される。キャリア・アグリゲーション・シナリオにおいては、式（４）〜（７）が各キャリアに対して適用される。
【００６６】
図４は、パワー・ヘッドルームを報告する方法のフロー・チャートを示すものである。示されるように、ステップＳ４１０において、ＵＥ１３０（例えば、処理ユニット２４０）は、トリガするイベントが起こっているかどうかを決定する。トリガするイベントは、以下のうちの１つまたは複数とすることができる。
−デュアル／多重伝送に起因したしきい値、ｃｏｎｆｉｇＰｃｍａｘＣｈａｎｇｅによるＰｃｍａｘの低下。
−タイマ、ｐｒｏｈｉｂｉｔＰＨＲＰｃｍａｘ−タイマは、期限切れし、または期限切れになっており、またＰＣＭＡＸは、パワー・ヘッドルーム報告（ＰＨＲ）の最後の伝送以来、パワー管理項ＰＤにおける変化に起因してｃｏｎｆｉｇＰｃｍａｘＣｈａｎｇｅよりも多く変化する。
−タイマ、ｐｒｏｈｉｂｉｔＰＨＲＰｄｍａｘ−タイマは、期限切れし、または期限切れになっており、またパワー管理項ＰＤは、ＰＨＲの最後の伝送以来、しきい値、ｃｏｎｆｉｇＰｄｍａｘＣｈａｎｇｅよりも多く変化する。
−パワー管理項ＰＤは、変化する。
【００６７】
次に、ステップＳ４２０において、ＵＥ１３０は、基地局１１０および１２０のうちの少なくとも１つに対してＰＨＲを送信する。ＰＨＲは、ステップＳ３２０において設定される最大出力パワーに関連した情報を含んでいる。例えば、ＰＨＲは、公称ＵＥ最大送信パワー、ＰＣＭＡＸと、ＵＬ伝送の推定されたパワーとの間の差についての情報を含んでいる。さらに、ＵＥ１３０は、管理項ＰＤおよび／またはＰＣＭＡＸを送信することもできる。ＭＡＣ信号方式を使用して、ＰＣＭＡＸまたはＰＤをネットワークに対して信号で伝えることができる。ＵＬ伝送についての対応するＰＨＲ、対応するＰＣＭＡＸ、および／または対応する管理項ＰＤは、次の使用可能なＵＬ伝送においてネットワークに対して信号で伝えられる。また、ＰＨＲおよび／またはパワー管理項ＰＤを送信した後に、タイマ、ｐｒｏｈｉｂｉｔＰＨＲＰｄｍａｘ−タイマは、リセットされることもある。
【００６８】
この実施形態の特別な場合には、しきい値ｃｏｎｆｉｇＰｄｍａｘＣｈａｎｇｅは、ゼロに設定されることもあり、その結果、ＰＤが変化するときはいつでも、ＰＨＲ、ＰＤ、および／またはＰＣＭＡＸの信号は、トリガされる。類似した実施形態においては、ＰＤが変化するときはいつでも、ＰＨＲおよび／またはＰＤ、および／またはＰＣＭＡＸの信号は、トリガされる。ＵＬ伝送についての対応するＰＨＲと、対応するＰＤとは、次の使用可能なＵＬ伝送において、ネットワークに対して信号で伝えられる。
【００６９】
別の実施形態においては、パワー管理項ＰＤを送信する代わりに、またはデュアル／多重伝送に起因した実際のパワー低下に追加して、ＰＤ−ａｃｔｕａｌそれ自体は、ネットワークに対して信号で伝えられる（ここでＰＤ−ａｃｔｕａｌ≦ＰＤ）。また、パワー管理項ＰＤに関して上記で説明されるトリガするイベントのうちの任意のものは、実際の低下ＰＤ−ａｃｔｕａｌに基づいている可能性もある。
【００７０】
理解されるように、上記で説明された実施形態は、非キャリア・アグリゲーション・シナリオと、キャリア・アグリゲーション・シナリオとの両方に適用される。キャリア・アグリゲーション・シナリオにおいて、トリガするイベントは、キャリアごとに基づいたものとすることができる。さらにまた、キャリア・アグリゲーション・シナリオにおいて、ＵＥについての全体の最大送信パワー、ＰＵＭＡＸは、各キャリアの最大出力パワー、ＰＣＭＡＸ，Ｃの合計として規定されることもある。パワー管理項における変化、ＰＤ，ＣＳに起因してしきい値、ｃｏｎｆｉｇＰｕｍａｘＣｈａｎｇｅによるＰＵＭＡＸの低下のすぐ後に、ＰＨＲおよびＰＣＭＡＸ，Ｃの伝送は、対応するアクティブにされたキャリアについてトリガされる。パワー管理項ＰＤ，ＣＳを結果としてもたらすパワーの低下に起因した頻繁なＰＨＲ／ＰＣＭＡＸ，Ｃ伝送は、構成されたタイマ、ｐｒｏｈｉｂｉｔＰＨＲＰｕｍａｘ−タイマによって制御される。ｐｒｏｈｉｂｉｔＰＨＲＰｕｍａｘ−タイマが、期限切れし、または期限切れしており、またＰＵＭＡＸが、ＰＨＲの最後の伝送以来、パワー管理項ＰＤ，ＣＳに起因してｃｏｎｆｉｇＰｕｍａｘＣｈａｎｇｅよりも多く変化するときに、ＰＨＲ／ＰＣＭＡＸ，Ｃ伝送は、トリガされる。ＵＬ伝送についての対応するＰＨＲと、対応するＰＣＭＡＸ，Ｃとは、次の使用可能なＵＬ伝送においてネットワークに対して信号で伝えられる。ｐｒｏｈｉｂｉｔＰＨＲＰｕｍａｘ−タイマは、ＰＨＲ／ＰＣＭＡＸ，Ｃの伝送の後に再スタートされる。
【００７１】
別の実施形態によれば、ＵＥについての全体の最大送信パワーＰＵＭＡＸは、ＰＤＵだけ低減される。ＰＤＵおよび／またはＰＤＵ−ａｃｔｕａｌの値の信号は、ＰＤＵおよび／またはＰＤＵ−ｃｔｕａｌにおける変化によってトリガされ得る。この場合に、ＰＣＭＡＸ，Ｃは、ＰＤＵ−ａｃｔｕａｌによる影響を受けないことになり、またＰＤＵ−ａｃｔｕａｌは、ＰＣＭＡＸ，ＣＳの合計をＰＵＭＡＸ−ＰＤＵ以下に保持するように低減するときに、考慮に入れられるだけである。
【００７２】
管理項ＰＤが、デュアル／多重伝送に起因したパワーの低下を表し、また管理項ＰＤまたは実際のパワー低下ＰＤ−ａｃｔｕａｌが、基地局に対して送信される場合の上記実施形態においては、基地局は、パワー低下の原因を提供される。すなわち、基地局は、パワー低下が、ＵＥにおけるデュアル／多重伝送のために起こったことを通知される。
【００７３】
次に、基地局においてアップリンク伝送をスケジュールする一方法が、説明されることになる。図５は、基地局においてアップリンク伝送をスケジュールする一方法のフロー・チャートを示すものである。示されるように、ステップＳ５１０において、基地局（例えば、基地局１１０）は、ＵＥからＰＨＲを受信する。基地局は、ＰＣＭＡＸおよび／またはＰＤ、および／またはＰＤ−ａｃｔｕａｌを受信することもできる。基地局は、基地局に関連するいくつかのＵＥからこの情報を受信することができることも、理解されるであろう。次いで、ステップＳ５２０において、基地局は、ステップＳ５１０において受信される情報を使用してアップリンク伝送をスケジュールする。基地局は、よく知られている任意の方法で、このスケジューリングを実行することができる。
【００７４】
説明された実施形態は、例えば、デュアル／多重伝送に起因した、伝送パワーの低下についてネットワーク（スケジューラ）に通知するためのメカニズムを提供している。ＵＥにおける使用可能な伝送パワーの最新の情報を提供することにより、ネットワークは、適切な伝送パワーのためにＵＥをスケジュールすることができ、このようにしてシステム性能を改善している。さらに、ネットワークにおけるチャネル推定における不正確さをもたらす、パワー制御についてのネットワークとＵＥとの間の不一致を、低減させ、または防止することができる。
【００７５】
実施形態の例が、このようにして説明されており、これら同じ実施形態の例は、多くのやり方で変更され得ることが、明らかであろう。そのような変形形態は、本発明を逸脱するものと見なされるべきではなく、またすべてのそのような修正形態は、本発明の範囲内に含まれるように意図される。
【図１】
2013546258.tif 000003
【図２】
2013546258.tif 000004
【図３】
2013546258.tif 000005
【図４】
2013546258.tif 000006
【図５】
2013546258.tif 000007
【国際調査報告】
2013546258.tif 000008
2013546258.tif 000009